(57)【特許請求の範囲】
【請求項１】
上面に複数の滑り止めの突起、下面に複数の補強リブ、かつ縁端部の対称な位置に手掛けがそれぞれ設けられ、前記滑り止めの突起と補強リブは平面に見て交互に隣り合うように設けられ、かつコーナ部の下面には緩衝ボードが設けられ、さらにコーナ部の上面に前記緩衝ボートに対応させて凹部が設けられていることを特徴とするダクト蓋。
【請求項２】
請求項１記載のダクト蓋において、手掛けに滑り止めの突起が設けられていることを特徴とするダクト蓋。
【発明の詳細な説明】
【技術分野】
【０００１】
本発明はダクト蓋に関し、運搬等に際して軽量で取り扱い易く、多数積み重ねて運搬等しても嵩張らず荷崩れを起こし難く、しかも劣悪な環境下の使用にも優れている。
【背景技術】
【０００２】
例えば、鉄道の線路の脇などには、図４と図５に図示するようなケーブル等を収納するためのケーブルダクト７が線路に沿って溝状に敷設され、ケーブルダクト７には蓋１が被せられている。
【０００３】
ケーブルダクトの蓋１は、一般にコンクリート製で、人力でも持ち運び可能な大きさの矩形板状に成形されている。また特に、発注主への納品の際や現地への搬入などに際しては、十枚程度ごとに積み重ね、結束バンド等によって束ねて運搬される。
【先行技術文献】
【特許文献】
【０００４】
【特許文献１】特開２００２−１３８４５１号公報
【特許文献２】特開２０００−５５２４０号公報
【特許文献３】特開２００４−１１６０８０号公報
【特許文献４】実用新案登録３１３４４５１号公報
【発明の開示】
【発明が解決しようとする課題】
【０００５】
しかし、これまでのケーブルダクトの蓋は、コンクリート製であるために重く、このため人力による取り扱いは取り扱う者に大変な負担を強いていた。
【０００６】
また、かなり厚く成形されているため、納品の際や現地への搬入の際などに重ねて運搬すると嵩張りやすく、また荷崩れを起こして破損するおそれがあった。
【０００７】
本発明は、以上の課題を解決するためになされたもので、運搬等に際して軽量で取り扱い易く、特に積み重ねて運搬しても嵩張りにくく荷崩れを起こし難く、しかも劣悪な環境下の使用にも優れているダクト蓋を提供することを目的とするものである。
【課題を解決するための手段】
【０００８】
請求項１記載のダクト蓋は、上面に複数の滑り止めの突起、下面に複数の補強リブ、さらに縁端部の対称な位置に手掛けがそれぞれ設けられ、前記滑り止めの突起と補強リブは平面に見て交互に隣り合うように設けられ、かつコーナ部の下面には緩衝ボードが設けられ、さらにコーナ部の上面に前記緩衝ボートに対応させて凹部が設けられていることを特徴とするものである。
【０００９】
本発明は、運搬等に際して多数積み重ねても嵩張らない上に荷崩れを起し難く、しかも軽量で取り扱いやすいようにしたものであり、例えばケーブルダクトの蓋や配管ダクトの蓋などとして広く用いることができる。
【００１０】
本発明によれば、蓋を多数積み重ねても、下側に位置する蓋の滑り止めの突起が上側に位置する蓋の補強リブ間に収納されることにより嵩張り難く、また滑り止めの突起と補強リブが交互に係合することにより蓋の横ずれや蓋の荷崩れを防止することができる。
【００１１】
また、ダクト蓋は鉄筋コンクリートによって成型され、高炉スラグを混和材として利用することで、製品の強度が向上し、従来製品より薄肉化を図り、軽量化による運搬等のコスト削減ができる。しかも高炉スラグはリサイクル材であり、環境にも配慮した製品である。
【００１２】
製品の強度が向上することで、海沿い地域の塩害や寒冷地などに対する耐久性も向上し、劣悪な環境下での使用にも優れている。
【００１４】
また、コーナ部の下面に緩衝ボードが設けられ、さらにコーナ部の上面に前記緩衝ボートに対応させて凹部が設けられていることにより、多数の蓋を積み重ねて運搬する際などに、各蓋のコーナ部に取り付けられた緩衝ボードが蓋間に挟まれて潰れたり剥がれたりするのを防止することができる。
【００１５】
なお、ダクト蓋は、通常、矩形板状に成形されていることから、蓋の各コーナ部の下側に緩衝ボードを取り付け、その上側に凹部を設ければよい。また、緩衝ボードは、ダクト蓋を設置する際などに、ケーブルダクトの縁部と蓋間のガタツキを防止するためのクッション材(発泡体)である。
【００１６】
請求項２記載のダクト蓋は、請求項１記載のダクト蓋において、手掛けに滑り止めの突起が設けられていることを特徴とするものである。
【００１７】
手掛けに滑り止めの突起を設けることにより、運搬中に蓋を誤って落とし足などをけがしたり、あるいは蓋を破損したりするのを未然に防止することができる。この場合の突起はビード状あるいは単に点状に隆起した形状のものでよい。
【発明の効果】
【００１８】
本発明によれば、重ねても下側に位置する蓋の滑り止めの突起が上側に位置する蓋の補強リブ間に収納されるため、運搬等に際して多数積み重ねても嵩張り難く、また滑り止めの突起と補強リブが交互に係合することにより横滑りしにくいため、横ずれや荷崩れを起して損傷することはないので運搬等の取り扱いが容易である。
【００１９】
また、各蓋のコーナ部の上面に凹部が設けられていることにより、各コーナ部の下面に取り付けられた設置用の緩衝ボードが蓋間に挟まれて潰れたり剥離したりするのを防止することができる。
【図面の簡単な説明】
【００２０】
【図１】ケーブルダクトの蓋を示し、(ａ)は平面図、(ｂ)は底面図である。
【図２】ケーブルダクトの蓋を示し、(ａ)は正面図、(ｂ)は右側面図である。
【図３】ケーブルダクトの蓋を示し、(ａ)は断面図、(ｂ)は(ａ)におけるイ部拡大図である。
【図４】ケーブルダクトの一部斜視図である。
【図５】ケーブルダクトを示し、(ａ)はその一部平面図、(ｂ)は(ａ)におけるロ−ロ線拡大断面図である。
【図６】運搬等に際して複数の蓋が積み重ねて梱包された状態を示す側面図である。
【発明を実施するための形態】
【００２１】
図１〜図６は、本発明の一実施形態を示し、図において、ケーブルダクトの蓋１は、鉄筋コンクリート製で矩形板状に成形されている。また、その上面に滑り止めの突起２、下面に補強リブ３ａ，３ｂおよび補強リブ３ｃがそれぞれ形成されている。さらに、対向する縁端部の対称な位置に手掛け４，４が形成されている。
【００２２】
また、各コーナ部ａの下面に緩衝ボード５が取り付けられ、各コーナ部ａの上面に緩衝ボード５よりやや大きい凹部６が形成されている。さらに、各コーナ部ａと各側面上部ｂに角欠け防止および蓋の敷設を容易にするためのテーパー加工部ｃが施されている。
【００２３】
滑り止めの突起２は平面に見てほぼ矩形状に形成され、かつ蓋１の隣り合う二辺の連続方向にそれぞれ所定間隔おきに複数形成され、また隣り合う二辺の連続方向に所定間隔おきに複数列に形成されている。
【００２４】
補強リブ３ａは蓋１の周縁部に環状に連続して形成され、補強リブ３ｂは対向する補強リブ３ａ，３ａ間に当該補強リブ３ａの軸直角方向に連続し、かつ当該補強リブ３ａの長手方向に所定間隔おきに複数列に形成されている。
【００２５】
そして、補強リブ３ｃは補強リブ３ａと補強リブ３ｂ間および補強リブ３ｂ，３ｂ間に補強リブ３ｂの軸直角方向に連続し、かつ補強リブ３ｂの長手方向に所定間隔おきに形成されている。
【００２６】
また、これらの補強リブ３ａ，３ｂおよび補強リブ３ｃは、蓋１を平面に見て滑り止めの突起２と交互に隣り合うように形成されている。
【００２７】
以上の構成により、図６に図示するように複数の蓋１が複数段に積み重ねられた際、下側に位置する蓋１の滑り止めの突起２は上側に位置する蓋１の補強リブ３ａ、３ｂおよび３ｃ間に収納される。また、各蓋１のコーナ部ａの上面に凹部６が形成されていることで、各コーナ部ａの下面に取り付けられた各緩衝ボード５が凹部６内に収納される。
【００２８】
なお、緩衝ボード５は、図５(ｂ)に図示するように、蓋１がケーブダクト７に設置された際に、ケーブルダクト７の縁部７ａと蓋１間のガタツキを防止するためのクッション材であり、ポリエチレン樹脂を主原料とした発泡体などから形成されている。
【００２９】
手掛け４は、図１(ａ)，(ｂ)に図示するように凹溝状に形成され、かつその底部４ａには図３(ａ)，(ｂ)に図示するように指が引っ掛り易いように下向きのテーパーが付けられ、さらに指が滑らないように凹凸の滑り止めの突起４ｂが形成されている。突起４ｂは、横方向に連続するビード状あるいは単に点状に隆起した形状のものでよい。
【００３０】
以上のような構成により、蓋１の運搬等に際して図６に図示するように、多数の蓋１を積み重ねても嵩張り難く、また滑り止めの突起２と補強リブ３ａ，３ｂおよび補強リブ３ｃが交互に係合することにより蓋１，１間の横ずれや蓋１の荷崩れを防止することができる。
【００３１】
また、緩衝ボード５が上下の蓋１，１間で潰れたり、あるいは剥がれたりするのを防止することができる。さらに、手掛け４の底部４ａに凹凸状の指掛け４ｂが設けられていることにより蓋１を両手で確実に持つことができ、これにより運搬中に蓋を誤って落とし、破損したりけがをしたりするおそれはない。
【産業上の利用可能性】
【００３２】
本発明は、軽量で取り扱い易く、数枚毎に重ねて運搬する際などに嵩張りにくく荷崩れを起こしにくく、しかも劣悪な環境下の使用にも優れている。
【符号の説明】
【００３３】
１  ケーブルダクトの蓋(ダクト蓋)
２  滑り止めの突起
３ａ  補強リブ
３ｂ  補強リブ
３ｃ  補強リブ
４  手掛け
４ａ  手掛けの底部
４ｂ  滑り止めの突起
５  緩衝ボード
６  凹部
７  ケーブルダクト
７ａ  ケーブルダクトの縁部
【図１】
0005548463.tif 000002
【図２】
0005548463.tif 000003
【図３】
0005548463.tif 000004
【図４】
0005548463.tif 000005
【図５】
0005548463.tif 000006
【図６】
0005548463.tif 000007